【手続補正書】
【提出日】平成17年2月24日(2005.2.24)
【手続補正１】
【補正対象書類名】明細書
【補正対象項目名】特許請求の範囲
【補正方法】変更
【補正の内容】
【特許請求の範囲】
【請求項１】
ペットの管理者に関する個別情報と、該個別情報に関連付けられて管理される前記ペットを識別するペット識別符号とを備えたデータベースの識別符号管理システムにおいて、顧客からの注文に応じてペット商品を売買する際に、顧客に関する個別情報及び該個別情報に関連付けてペット識別符号を登録することを特徴とする識別符号管理システム。
【請求項２】
前記個別情報は、顧客の入力に基づいて入力されることを特徴とする請求項１記載の識別符号管理システム。
【請求項３】
前記個別情報は、顧客毎に与えられた顧客識別符号と関連付けて管理されることを特徴とする請求項１記載の識別符号管理システム。
【請求項４】
ペットの管理者に関する個別情報と、該個別情報に関連付けられて管理される前記ペットを識別するペット識別符号とを備えたデータベースの管理システムを用いて、前記顧客からの注文に応じて売買されるペット商品を売買する際に顧客に関する個別情報及び該個別情報に関連付けて前記ペット識別符号を登録する目的で、顧客に関する個別情報又は該顧客を識別する顧客識別符号とともに前記ペット商品又はそれから得られるペット情報又はそれらを表す信号をデータベース管理システムに向けて送信することを特徴とする識別符号管理システム。
【請求項５】
ペットの管理者に関する個別情報と、該個別情報に関連付けられて管理される前記ペットを識別するペット識別符号とを備えたデータベースの管理システムを用いて、前記顧客からの注文に応じて売買されるペット商品を売買する際に顧客に関する個別情報及び該個別情報に関連付けて前記ペット識別符号を登録するに際して、顧客に関する個別情報又は該顧客を識別する顧客識別符号とともに前記ペット商品又はそれから得られるペット情報又はそれらを表す信号をデータベース管理システムに向けて送信することにより、該データベース管理システムから前記ペット識別符号が返信されることを特徴とする識別符号管理システム。
【請求項６】
前記ペット識別符号は、地域毎、店舗毎又は種類毎に分類されて管理可能な識別符号を備えていることを特徴とする請求項１〜５のいずれかに記載の識別符号管理システム。
【請求項７】
前記データベースはペットの管理者検索用に用いられるデータベースであることを特徴とする請求項１〜６のいずれかに記載の識別符号管理システム。
【請求項８】
顧客からの注文に応じてペット商品を売買する際に入手される顧客に関する個別情報と、該個別情報に関連付けて管理されたペットを識別するペット識別符号と、前記個別情報及び前記ペット識別符号をデータベースとして管理するコンピュータと、前記コンピュータに前記ペット識別符号を入力することにより該識別符号に関連付けて前記個別情報を出力する出力手段と、を備えたことを特徴とする迷子ペットの捜索システム。
【請求項９】
前記個別情報は、顧客毎に与えられた顧客識別符号と関連付けて管理され、前記データベースは、顧客からの注文の都度、前記顧客識別符号に基づいて管理された個別情報及びペット識別符号が入力又は更新されることを特徴とする請求項８記載の迷子ペットの捜索システム。
【請求項１０】
前記データベースには、ペットの属性に関するペット情報を備え、前記出力手段には、前記個別情報とともに前記ペットの属性を含むペット情報が出力されることを特徴とする請求項８又は９記載の迷子ペットの捜索システム。
【手続補正２】
【補正対象書類名】明細書
【補正対象項目名】０００６
【補正方法】変更
【補正の内容】
【０００６】
近年、インターネットの普及に連れ、犬の洋服などを含む服装品又は服飾品（ペット商品）がネット上で公開される仮想の販売店（仮想店舗）を介して売買されつつある。このような仮想店舗による売買形態では、ペットショップにおける売買に比べて、商品の発送が必要であるというデメリットを有するが、顧客に商品を発送するには必ずその商品と関連付けて全ての顧客の居所などを含む個別情報が提供される。そして、このような商品と個別情報とは、流通の合理化の観点から一般的にコンピュータへ入力されて発送の手配がなさることが多い。
【手続補正３】
【補正対象書類名】明細書
【補正対象項目名】０００７
【補正方法】変更
【補正の内容】
【０００７】
そこで、この発明は、このようなペット商品の売買形態において入力された顧客の個別情報を利用して迷子犬の捜索を容易にすることを目的とする。
【手続補正４】
【補正対象書類名】明細書
【補正対象項目名】０００８
【補正方法】変更
【補正の内容】
【０００８】
【課題を解決するための手段】
この目的を達成するために、本発明者は、このような売買形態を利用してペット商品を売買する際に、商品毎に入力される顧客の個別情報に加えて、ペットの識別符号を登録すれば、その商品と関連付けた迷子犬などの迷子ペットの検索に必要なデータベースの入力が極めて容易となることを見出した。
【手続補正５】
【補正対象書類名】明細書
【補正対象項目名】０００９
【補正方法】変更
【補正の内容】
【０００９】
すなわち、請求項１記載の発明は、ペットの管理者に関する個別情報と、該個別情報に関連付けられて管理される前記ペットを識別するペット識別符号（ペットID）とを備えたデータベースの識別符号管理システムにおいて、顧客からの注文に応じてペット商品を売買する際に、顧客に関する個別情報及び該個別情報に関連付けてペット識別符号（ペットID）を登録することを特徴とする識別符号管理システムである。
【手続補正６】
【補正対象書類名】明細書
【補正対象項目名】００１２
【補正方法】変更
【補正の内容】
【００１２】
請求項４記載の発明は、ペットの管理者に関する個別情報と、該個別情報に関連付けられて管理される前記ペットを識別するペット識別符号とを備えたデータベースの管理システムを用いて、前記顧客からの注文に応じて売買されるペット商品を売買する際に顧客に関する個別情報及び該個別情報に関連付けて前記ペット識別符号を登録する目的で、顧客に関する個別情報又は該顧客を識別する顧客識別符号とともに前記ペット商品又はそれから得られるペット情報又はそれらを表す信号をデータベース管理システムに向けて送信することを特徴とする識別符号管理システムである。
【手続補正７】
【補正対象書類名】明細書
【補正対象項目名】００１３
【補正方法】変更
【補正の内容】
【００１３】
請求項５記載の発明は、ペットの管理者に関する個別情報と、該個別情報に関連付けられて管理される前記ペットを識別するペット識別符号とを備えたデータベースの管理システムを用いて、前記顧客からの注文に応じて売買されるペット商品を売買する際に顧客に関する個別情報及び該個別情報に関連付けて前記ペット識別符号を登録するに際して、顧客に関する個別情報又は該顧客を識別する顧客識別符号とともに前記ペット商品又はそれから得られるペット情報又はそれらを表す信号をデータベース管理システムに向けて送信することにより、該データベース管理システムから前記ペット識別符号が返信されることを特徴とする識別符号管理システムである。
【手続補正８】
【補正対象書類名】明細書
【補正対象項目名】００１６
【補正方法】変更
【補正の内容】
【００１６】
請求項８記載の発明は、顧客からの注文に応じてペット商品を売買する際に入手される顧客に関する個別情報と、該個別情報に関連付けて管理されたペットを識別するペット識別符号と、前記個別情報及び前記ペット識別符号をデータベースとして管理するコンピュータと、前記コンピュータに前記ペット識別符号を入力することにより該識別符号に関連付けて前記個別情報を出力する出力手段と、を備えたことを特徴とする迷子ペットの捜索システムである。
【手続補正９】
【補正対象書類名】明細書
【補正対象項目名】００２２
【補正方法】変更
【補正の内容】
【００２２】
また、この発明において用いられるデータベースＤＢは、ペット商品（ペットの服装品又は服飾品等を含む）を販売するために構築されたデータベースであるが、その他の既存のデータベースにその機能を有していれば、そのまま利用したり、また、必要な情報を追加したり、リンクさせて利用してもよい。そのようなデータベースの好ましい一例としては、本出願人がすでに提案している「ペット属性判定システム」（平成１２年１２月２６日つけ出願の特願２０００−３９４７２６号明細書）に詳細に述べられている。このデータベースを利用する場合には、そのデータベースには既に多数のペットの属性が記憶されているので、例えば、その迷子犬の飼養上の注意事項を含め、必要な予防注射を行っているか否かまで含めた迷子犬の保管に必要なペットの属性を知ることができる。
【手続補正１０】
【補正対象書類名】明細書
【補正対象項目名】００８７
【補正方法】変更
【補正の内容】
【００８７】
【発明の効果】
以上説明してきたように、この発明によれば、ペット商品の売買形態において入力された顧客の個別情報を利用することにより、犬などのペットが迷子になった場合の捜索が容易なペット識別符号を管理する識別符号管理システム及びそれを用いた迷子ペットの捜索システムが提供できる。